(57)【要約】【課題】  パケットロスに対し、再送制御及び輻輳制御を行う通信プロトコルにおいて、リアルタイム通信を実現する。【解決手段】  データ受信部202は、ネットワークインターフェース201からパケットを受け取り、データ受信部に渡す通信プロトコルスタック203、また、ネットワークインターフェース201が受信したパケットをスヌープしてデータ受信部202に渡すスヌープパケット出力部204の両者からパケットを受信し、そのパケットの重複がないように、つまり同じシーケンス番号のパケットが重複することがないように、その受け取ったデータをアプリケーションに提供する。【選択図】  図１
2008109698.tif 000002
【特許請求の範囲】
【請求項１】
受信側アプリケーションとネットワークに接続された通信装置であって、
ネットワークインターフェースを通じてパケットの送受信を管理し、受信した前記パケットのデータをアプリケーションに送信する通信プロトコルスタックと、前記ネットワークインターフェースを経由して、送受信される前記パケットを監視し、通信プロトコルにおける輻輳制御が発生するタイミングを検出し、前記タイミングの検出をダミーパケット生成部に通知するパケット監視部と、
前記検出の通知を受けてダミーパケットの生成を行い、前記ネットワークインターフェースを通じて前記通信プロトコルスタックに送信するダミーパケット生成部と、
を少なくとも有するパケット通信装置。
【請求項２】
受信側アプリケーションとネットワークに接続された通信装置であって、
ネットワークインターフェースを通じてパケットの送受信を管理し、受信したパケットのデータをアプリケーションに送信する通信プロトコルスタックと、
前記ネットワークインターフェースを経由して送受信される前記パケットを監視してDuplicated ACKの送信を検出し、その検出をACK生成部とダミーパケット生成部に通知するパケット監視部と、
前記検出の通知を受けて、再送制御及び輻輳制御が実施されるために必要な1つ以上の前記Duplicated ACKの生成を行いネットワークインターフェースに送信する前記ACK生成部と、
前記検出の通知を受けてダミーパケットを生成し、前記ネットワークインターフェースを通じて、前記通信プロトコルスタックに送信する前記ダミーパケット生成部と、
を少なくとも有するパケット通信装置。
【請求項３】
受信側アプリケーションとネットワークに接続された通信装置であって、
ネットワークインターフェースを通じてパケットの送受信を管理し、受信したパケットのデータをアプリケーションに送信する通信プロトコルスタックと、
前記ネットワークインターフェースを経由して送受信される前記パケットのシーケンス番号の順序性が保たれているかを監視し、順序性が保たれていないことを検出すると、該検出をダミーパケット生成部に通知し、さらに次に連続して到着する複数個の前記パケットに未到着パケットが含まれるかどうかを監視し、含まれないことが検出された場合は該検出をACK生成部に通知するパケット監視部と、
前記未到着パケットが含まれないことの検出の通知を受けて輻輳制御が実施されるために必要な1個以上のDuplicated ACKの生成を行い前記ネットワークインターフェースに送信する前記ACK生成部と、
前記順序性が保たれていないことの検出の通知を受けてダミーパケットを生成し前記通信プロトコルスタックに送信する前記ダミーパケット生成部と、
を少なくとも有するパケット通信装置。
【請求項４】
受信側アプリケーションとネットワークに接続された通信装置であって、
ネットワークインターフェースを通じてパケットの送受信を管理し、受信したデータをアプリケーションに送信する通信プロトコルスタックと、
前記ネットワークインターフェースをアプリケーションに送信する通信プロトコルスタックと、ネットワークインターフェースで送受信される前記パケットのシーケンス番号の順序性が保たれているかを監視し、順序性が保たれていないことを検出すると、該検出を再送可否判断部に通知するパケット監視部と、
一定期間有効な再送可否判断部フラグを有し、前記再送可否判断フラグがセットされていない場合は前記再送可否判断フラグのセット及びダミーパケット生成部及びACK生成部に通知を行い、前記再送可否判断フラグがセットされている場合は前記ダミーパケット生成部への通知を行う再送可否判断部と、
前記再送可否判断部からの通知を受けるとダミーパケットを生成し、ネットワークインターフェースに送信する前記ダミーパケット生成部と、
前記再送可否判断部からの通知を受けると、輻輳制御を実行するために必要な1つ以上のDuplicated ACKを生成し、ネットワークインターフェースに送信する前記ACK生成部と、
を少なくとも有するパケット通信装置。
【請求項５】
前記通信プロトコルをTCP/IPとする請求項１から４のいずれか１項に記載のパケット通信装置。
【請求項６】
前記通信プロトコルをTCP/IPとし、通信プロトコルにおける輻輳制御が発生するタイミングを前記TCP/IPにおけるDuplicated ACKの検出により行う、請求項１に記載のパケット通信装置。
【請求項７】
パケットの送信端末と受信端末の間でのパケットの送受信を中継するパケット中継装置であって、
送信側端末からパケットを受信する第１のパケット通信装置と、
受信側端末に前記受信したパケットを送信する第２のパケット通信装置と、を有し、
前記第１のパケット通信装置は、請求項１から４のいずれか１項に記載のパケット通信装置である、パケット中継装置。
【請求項８】
前記送信端末から送信されて中継装置で受信される間に損失したパケットが存在したときに、前記第２のパケット通信装置から前記受信側端末に前記損失したパケットの後続のパケットをパケットのシーケンス番号の順序性を保たれるように、シーケンス番号を付替えて送信することを特徴とする請求項７記載のパケット中継装置。
【請求項９】
ネットワークインターフェースを通じてパケットの送受信を管理し、受信した前記パケットのデータを前記アプリケーションに送信する通信プロトコルを用いて受信側アプリケーションとネットワークを接続する通信方法であって、通信装置が、前記ネットワークインターフェースを経由して、送受信される前記パケットを監視し、通信プロトコルにおける輻輳制御が発生するタイミングを検出し、前記タイミングの検出をダミーパケット生成部に通知する手順と、
前記検出の通知を受けてダミーパケットの生成を行い、前記ネットワークインターフェースを通じて前記通信プロトコルスタックに送信するダミーパケット生成手順と、
を少なくとも含むパケット通信方法。
【請求項１０】
ネットワークインターフェースを通じてパケットの送受信を管理し、受信した前記パケットのデータを前記アプリケーションに送信する通信プロトコルを用いて受信側アプリケーションとネットワークを接続する通信方法であって、通信装置が、前記ネットワークインターフェースを経由して送受信される前記パケットを監視してDuplicated ACKの送信を検出し、その検出をACK生成部とダミーパケット生成部に通知するパケット監視手順と、
前記検出の通知を受けて、再送制御及び輻輳制御が実施されるために必要な1つ以上の前記Duplicated ACKの生成を行いネットワークインターフェースに送信する前記ACK生成手順と、
前記検出の通知を受けてダミーパケットを生成し、前記ネットワークインターフェースを通じて、前記通信プロトコルスタックに送信する前記ダミーパケット生成手順と、
を少なくとも含むパケット通信方法。
【請求項１１】
ネットワークインターフェースを通じてパケットの送受信を管理し、受信した前記パケットのデータを前記アプリケーションに送信する通信プロトコルを用いて受信側アプリケーションとネットワークを接続する通信方法であって、通信装置が、前記ネットワークインターフェースを経由して送受信される前記パケットのシーケンス番号の順序性が保たれているかを監視し、順序性が保たれていないことを検出すると、該検出をダミーパケット生成部に通知し、さらに次に連続して到着する複数個の前記パケットに未到着パケットが含まれるかどうかを監視し、含まれないことが検出された場合は該検出をACK生成部に通知するパケット監視手順と、
前記未到着パケットが含まれないことの検出の通知を受けて輻輳制御が実施されるために必要な1個以上のDuplicated ACKの生成を行い前記ネットワークインターフェースに送信する前記ACK生成手順と、
前記順序性が保たれていないことの検出の通知を受けてダミーパケットを生成し前記通信プロトコルスタックに送信する前記ダミーパケット生成手順と、
を少なくとも含むパケット通信方法。
【請求項１２】
ネットワークインターフェースを通じてパケットの送受信を管理し、受信した前記パケットのデータを前記アプリケーションに送信する通信プロトコルを用いて受信側アプリケーションとネットワークを接続する通信方法であって、通信装置が、前記ネットワークインターフェースをアプリケーションに送信する通信プロトコルスタックと、ネットワークインターフェースで送受信される前記パケットのシーケンス番号の順序性が保たれているかを監視し、順序性が保たれていないことを検出すると、該検出を再送可否判断部に通知するパケット監視手順と、
一定期間有効な再送可否判断部フラグを有し、前記再送可否判断フラグがセットされていない場合は前記再送可否判断フラグのセット及びダミーパケット生成部及びACK生成部に通知を行い、前記再送可否判断フラグがセットされている場合は前記ダミーパケット生成部への通知を行う再送可否判断手順と、
前記再送可否判断部からの通知を受けるとダミーパケットを生成し、ネットワークインターフェースに送信する前記ダミーパケット生成手順と、
前記再送可否判断部からの通知を受けると、輻輳制御を実行するために必要な1つ以上のDuplicated ACKを生成し、ネットワークインターフェースに送信する前記ACK生成手順と、
を少なくとも含むパケット通信方法。
【請求項１３】
前記通信プロトコルをTCP/IPとする請求項９から１２のいずれか１項に記載のパケット通信方法。
【請求項１４】
前記通信プロトコルをTCP/IPとし、通信プロトコルにおける輻輳制御が発生するタイミングを前記TCP/IPにおけるDuplicated ACKの検出により行う請求項９に記載のパケット通信方法。
【請求項１５】
パケットの送信端末と受信端末の間でのパケットの送受信を中継する中継装置が、第１のパケット通信方法により送信端末からパケットを受信し、第２のパケット通信方法により前記受信したパケットを受信側端末に送信するパケット中継方法であって、
前記第１のパケット通信方法は、請求項９から請求項１２のいずれか１項に記載のパケット通信方法である、パケット中継方法。
【請求項１６】
前記送信端末から送信されて前記中継装置で受信される間に損失したパケットが存在したときに、前記第２のパケット通信方法から前記受信側端末に前記損失したパケットの後続のパケットをパケットのシーケンス番号の順序性を保たれるように、シーケンス番号を付替えて送信する、請求項１５に記載のパケット中継装置。
【請求項１７】
請求項９から請求項１２のいずれか１項に記載のパケット通信方法を、パケット通信装置を構成するコンピュータに実行させるプログラム。
【請求項１８】
請求項１５又は請求項１６に記載のパケット中継方法を、パケット中継装置を構成するコンピュータに実行させるプログラム。
【発明の詳細な説明】
【技術分野】
【０００１】
本発明は、パケットの損失に対し、再送を行う通信プロトコル（例えばTCP(Transmissi
on Control Protocol)）を利用した通信に関し、特に映像・音声のようなリアルタイム性
を要求されるデータ通信を実現するための通信装置及び通信方法及び通信プログラムに関
する。
【背景技術】
【０００２】
近年、送信側から受信側にデータをパケットに分割して送信し、受信側でデータに再現
して再生する通信アプリケーションが増加している。例えば、インターネット上でのIP
話(VoIP)や、TV会議、映画やライブの映像配信などが挙げられる。このようなアプリケー
ションでは、送信側からデータがパケットとして送信されてから一定時間以内に受信側で
再生されることが、通信アプリケーションとしての品質を高く保つ、つまり音声を途切れ
なく再生する、または画像を途切れなく再送するために重要となる。つまり、このような
通信アプリケーションにおいては、パケットが送出されてからデータを再生するまでの遅
延時間をできるだけ小さくすることが求められる。以下では、このようなパケットが送出
されてからデータを再生するまでの遅延時間をできるだけ小さくする必要があることを、
リアルタイム性を必要する、という表現で表すこととする。
【０００３】
このようなリアルタイム性を必要とするアプリケーションにおける通信プロトコルとし
ては、再送制御を伴わないプロトコルが用いられることが多い。具体的な通信プロトコル
の１つとしては、UDP(User Datagram Packet)を挙げることができる。UDPはパケットを損
失なく転送するための信頼性よりも、軽量で高速であることを目的とする通信プロトコル
である。送信したパケットが、受信側の端末等に到着する前に損失した場合（パケットロ
スが発生した場合）でも、その損失したパケット（ロスパケット）の再送を行わない。こ
のため、一部受信側で再現できないデータが存在することを許容すれば、再送に伴う遅延
が発生しない。
【０００４】
しかし、通信アプリケーションを利用するユーザの環境によっては、再送制御を伴わな
いプロトコルを用いることができない場合がある。例えば、企業、大学、家庭ネットワー
クにおいて外部からのパケットの遮断やフィルタリング等といったセキュリティ上の理由
により、ファイアウォールやプロキシを設置している場合を挙げることができる。
【０００５】
このような環境で前述のアプリケーションのデータをファイアウォールやプロキシを越
えて通信する方法として、ファイアウォールやプロキシを通過するHTTP(Hyper Text Tran
sfer Protocol)を利用して、データパケットをやりとりすることで、コミュニケーション
を実現する方法が特許文献1に開示されている。ここで、HTTPは、再送制御を伴うTCPの上
に規定される通信プロトコルである。
【０００６】
【特許文献１】特開2001-86163号公報（第４頁〜８頁、第１図）
【非特許文献１】Sumitha Bhandarkar、  "A Study of the Growth and Development of Video Streaming over the Internet"、  [平成16年8月26日検索]、インターネット＜http://students.cs.tamu.edu/sumitha/courses/cpsc689-606/hw5.doc＞
【発明の開示】
【発明が解決しようとする課題】
【０００７】
リアルタイム性を必要とするアプリケーションにおいて、再送制御を伴うプロトコルを
用いた場合に発生する問題を、TCPを例として図31を参照して説明する。
【０００８】
図31はTCPの再送制御の処理シーケンスの一例である。送信側はシーケンス番号を付与
し、データパケットを送信する。受信側はデータパケットを受信すると、受信したことを
送信側に通知（応答）するために、シーケンス番号を付与した“ACK”情報を含んだパケ
ット(以下略してACK）を送信し、同時に、アプリケーションに対して受信したデータを渡
す。
【０００９】
例えば、シーケンス番号1（図31においては＃１と表記）のデータパケットを受信する
と(3101)、受信側はシーケンス番号１のACKを送信側に送出し(3102)、同時にそのデータ
パケットのデータをアプリケーションに対して渡す(3103)。
【００１０】
ここで、シーケンス番号2のパケットが損失したとする(3104)。受信側はパケットが届
いていないので何の応答も返さない。TCPでは後述するように同一シーケンス番号を含むA
CKをあらかじめ決められた回数だけ連続して受信するまでは、パケットロスの発生を認識
しないので、続いて、送信側はシーケンス番号3のパケットを送信する(3105)。受信側で
は、シーケンス番号3のパケットを受信した際、シーケンス番号2のパケットが届いていな
いことを検出し、送信側にその内容を伝える。具体的には、受信側は、シーケンス番号1
までのパケットを受け取っていることを伝えるACKを送信する(3106)。シーケンス番号1ま
でのパケットを受け取っていることを伝えるACKは、 3102でも既におり、2回目の送信で
あることから、この3106で送信されるACKは“Duplicated ACK”と呼ばれる（図31におい
てはDup ACKと表記する）。なお、一般的にACK とDuplicated ACKで実体的な差はないが
、以下では2回目以降のACKの送信であることを表現するために、ACK とDuplicated ACKと
をできるだけ使い分けて記載するものとする。
【００１１】
3105で受信したシーケンス番号3のデータは、アプリケーションには渡らず、TCPのプロ
トコルスタックに一時蓄積される。送信側はこのあと、シーケンス番号4、シーケンス番
号5のデータパケットを送信し(3107, 3109)、受信側はシーケンス番号2のパケットが届い
ていないため、同様にシーケンス番号１のDuplicated ACKを送信し(3108, 3110)、シーケ
ンス番号4及びシーケンス番号5のデータパケットをTCPのプロトコルスタックに一時蓄積
する。TCPでは、送信側でDuplicated ACKを、パラメータとして設定されている回数、一
般的な実装では 3回、連続で受信すると、パケットロスが発生したことを検出し、Duplic
ated ACKで指定されているシーケンス番号の次のパケットを再送する制御が行われる。こ
こでは、シーケンス番号2のパケットが再送される(3111)。受信側では、3111でシーケン
ス番号2のパケットを受信すると、シーケンス番号5までのデータを受け取っていることに
なるので、シーケンス番号5を付与したACKを送信する(3112)。同時にアプリケーションに
対して、シーケンス番号2、3、4、5のパケットのデータを渡す(3113〜3116)。
【００１２】
この例に示されるように、パケットロスが発生すると、受信側では損失パケットが再送
されるまで受信データがアプリケーションに渡されないので、再送に伴う遅延が発生する
という課題がある。この例では、3104でのシーケンス番号2のパケットロスに伴い、3117
に示される遅延時間が発生している。アプリケーションにおいての遅延時間の許容範囲が
3117で示される時間未満の場合は、アプリケーションの実行に障害を来たすことになる。
例えば、映像・音声の再生を行うアプリケーションの場合、再生データが再生時間に間に
合わなくなり、再生が途切れる症状が発生する可能性がある。
【００１３】
このような課題に対して、映像・音声の再生可能時間を閾値として設定し、その閾値以
内に届かなかったデータパケットに対して、ダミーのACKを送信し、あたかも受信してい
ないデータパケットを受信したかのように送信側にACKの応答を返すことにより、TCPの再
送制御を行わせないようにし、再送処理の無駄を省く方法も提案されている（例えば非特
許文献１）。この場合、受信側端末では、再送制御を行わなかったデータパケットは受信
されないが、後続のパケットは受信されるため、アプリケーションには、再送制御を行わ
なかったデータパケットの後続のデータパケットのデータは渡すことが可能となる。これ
により、パケットの再送に伴う遅延を抑制することができる。
【００１４】
しかし、再送制御を伴うプロトコルでは、再送制御と連携した輻輳制御が行われている
ことが多い。例えばTCPでは再送制御に加え、輻輳ウインドウサイズを調整することによ
る輻輳制御が行われている。輻輳制御では、データ送信側が再送を行う際に送信レートを
低く押さえることで、ネットワークの混雑を可能な限り解消しようとする機構である。例
えばTCPでは、Duplicated ACKを3回続けて受信した場合に、再送処理と同時に一度に送出
するパケット数を低く押さえることで、ネットワークの混雑を回避しようとする処理を行
う。
【００１５】
この制御は、パケットロスが発生する原因として、ネットワークの混雑を仮定し、送信
レートを低く押さえること、つまり輻輳ウインドウサイズを小さくすることでネットワー
クの混雑を少しでも早く解消させることを目的としている。
【００１６】
非特許文献1で提案されている方法では、再送制御を抑制する効果があるものの、送信
側が輻輳制御を行わなくなるため、ネットワークが混雑している場合、その混雑度をます
ます加速させてしまうという課題が内在している。
【００１７】
本発明の目的は、再送制御に伴うデータ受信までの遅延の削減と、輻輳制御を両立させ
て実現することができるパケット通信装置、パケット通信方法、およびパケット通信プロ
グラムを提供することにある。この手段により、リアルタイム性を必要とするアプリケー
ションを、再送制御と輻輳制御の機能を持つプロトコルを用いて、再送制御に伴う遅延の
影響を受けずに実行することを可能ならしめると同時にネットワーク全体としての適切な
輻輳制御を行わしめることができる。
【課題を解決するための手段】
【００１８】
かかる目的を達成するために、本発明の第一の通信装置は、パケットを受信するネット
ワークインターフェースと、ネットワークインターフェースからパケットを受け取りデー
タ受信部に渡す通信プロトコルスタックと、ネットワークインターフェースが受信したパ
ケットをスヌープしてデータ受信部に渡すスヌープパケット出力部と、通信プロトコルス
タック及びスヌープパケット出力部からパケットのデータを受け取り、そのパケットデー
タの重複がないように、つまり同じシーケンス番号のパケットのデータが重複することが
ないように、その受け取ったデータをアプリケーションに提供するデータ受信部から構成
されることを特徴とする。
【００１９】
また、本発明による第二の通信装置は、パケットを受信するネットワークインターフェ
ースと、ネットワークインターフェースからパケットを受け取りアプリケーションに提供
する通信プロトコルスタックと、ネットワークインターフェースが受信したパケットを監
視し、輻輳制御が送信側で実行されることになる回数分のDuplicated ACKが送信されるタ
イミングを受信側のネットワークインターフェース部において監視し、そのタイミングを
ダミーパケット生成部に通知するパケット監視部と、その通知をトリガーとしてダミーパ
ケットを生成しネットワークインターフェースに送出するダミーパケット生成部とから構
成されることを特徴とする。
【００２０】
また、本発明による第三の通信装置は、パケットを受信するネットワークインターフェ
ースと、ネットワークインターフェースからパケットを受け取りアプリケーションに提供
する通信プロトコルスタックと、ネットワークインターフェースが受信するパケットを監
視し、Duplicated ACKが送信されるタイミングを監視し、そのタイミングでダミーのDupl
icate ACKを１つ以上発生し、ネットワークインターフェース部に送出するACK生成部から
構成されることを特徴とする。
【００２１】
また、本発明による第四の通信装置は、パケットを送受信するネットワークインターフ
ェースと、ネットワークインターフェースからパケットを受け取りアプリケーションに提
供する通信プロトコルスタックと、ネットワークインターフェースが受信したパケットを
監視し、受信したパケットがDuplicate ACKであった場合に、ダミーパケット生成部及びA
CK生成部に通知を行うパケット監視部と、パケット監視部からの通知を受け、1つ以上のD
uplicated ACKを生成し、ネットワークインターフェース部に送出するACK生成部と、また
、パケット監視部からの通知を受け、ロスパケットのダミーパケットを生成し、ネットワ
ークインターフェース部を通じて、通信プロトコルに送信するダミーパケット生成部から
構成されることを特徴とする。
【００２２】
また、本発明による第五の通信装置は、パケットを受信するネットワークインターフェ
ースと、ネットワークインターフェースからパケットを受け取り、アプリケーションに提
供する通信プロトコルスタックと、ネットワークインターフェースが送受信したパケット
を監視し、シーケンス番号の順序性が崩れたときにダミーパケット生成部に通知し、さら
に順序性が崩れたパケットが、次に連続して到着する複数個のパケットに含まれるかどう
かを監視し、その中に順序性が崩れたパケットが到着しない場合、 ACK生成部に通知する
パケット監視部と、パケット監視部からの通知を受け、ダミーパケットを生成し、ネット
ワークインターフェースに送信するダミーパケット生成部と、パケット監視部からの通知
を受け、複数個のDuplicated ACKを生成し、ネットワークインターフェースに送信するAC
K生成部と、から構成されることを特徴とする。
【００２３】
また、本発明による第六の通信装置は、パケットを受信するネットワークインターフェ
ースと、ネットワークインターフェースからパケットを受け取り、アプリケーションに提
供する通信プロトコルスタックと、ネットワークインターフェースが送受信したパケット
を監視し、シーケンス番号の順序性が崩れたときに、再送可否判断部に通知を行うパケッ
ト監視部と、一定期間有効な再送可否判断フラグを確認し、再送可否判断フラグがセット
されていない場合、再送可否判断フラグのセットを行い、同時にダミーパケット生成部及
びACK生成部に通知を行い、再送可否判断フラグがセットされている場合、ダミーパケッ
ト生成部に通知を行う再送可否判断部と、再送可否判断部からの通知を受け、ダミーパケ
ットを生成し、ネットワークインターフェースに送信するダミーパケット生成部と、再送
可否判断部からの通知を受け、複数のDuplicated ACKを生成し、ネットワークインターフ
ェースに送信するACK生成部と、から構成されることを特徴とする。
【００２４】
また、本発明による第七の通信装置は、パケットを受信するネットワークインターフェ
ースと、ネットワークインターフェースからパケットを受け取り、アプリケーションに提
供する通信プロトコルスタックと、ネットワークインターフェースが送受信したパケット
を監視し、Duplicated ACKの受信を検出した際、ACK生成部に通知するパケット監視部と
、パケット監視部からの通知を受け、複数個のDuplicated ACKを生成し、通信プロトコル
スタックに送信するACK生成部と、から構成されることを特徴とする。
【００２５】
また、本発明による第八の通信装置は、パケットを受信するネットワークインターフェ
ースと、ネットワークインターフェースからパケットを受け取り、アプリケーションに提
供する通信プロトコルスタックと、ネットワークインターフェースが送受信したパケット
を監視し、Duplicated ACKの受信を検出すると、再送可否判断部に通知を行うパケット監
視部と、一定期間有効な再送可否判断フラグがセットされているかを確認し、再送可否判
断フラグがセットされていない場合、再送可否判断フラグをセットし、ACK生成部に通知
を行う再送可否判断部と、再送可否判断部からの通知を受信した際に、複数個のDuplicat
ed ACKを生成し、通信プロトコルスタックに送信するACK生成部と、から構成されること
を特徴とする。
【発明の効果】
【００２６】
本発明の第一の効果は、リアルタイム性を要求するアプリケーションにおいて再送制御
を伴う通信プロトコルでデータを送受信した場合に、パケットロス発生時の再送制御によ
って発生するアプリケーションでのデータ再生遅延を削減できることである。
【００２７】
その理由は、データ送受信時にパケットロスが発生した場合も、損失したパケットの再
送制御による遅延を抑制する制御を行うからである。
【００２８】
本発明の第二の効果は、リアルタイム性を要求するアプリケーションにおいて再送制御
と輻輳制御を伴う通信プロトコルでデータを送受信した場合に、輻輳制御を損なうことな
く、再送制御に伴うデータを再現するまでの遅延を削減できることである。
【００２９】
その理由は、再送制御による遅延を抑制する制御に行う場合においても、輻輳制御に必
要なパケットを適切に送出することで輻輳制御まで抑制しないようにしているからである
。
【００３０】
本発明の第三の効果は、通信プロトコルに修正を加えることなく、上記第一、または第
二の効果を実現できることである。同一端末上で同じ通信プロトコルを利用している他の
アプリケーションに影響を与えることなく、上記第一、または第二の効果を得ることがで
きる。
【００３１】
その理由は、再送制御による遅延の抑制や、輻輳制御に必要なパケットの送出を、ネッ
トワークインターフェースを介して通信プロコルスタックに対して行うようにすることで
、通信プロトコルスタックと連動はするものの、独立の機能部として実現できているため
である。
【発明を実施するための最良の形態】
【００３２】
以下、本発明を実施するための実施の形態について図面を参照しながら説明を行う。図
1は、本発明の通信装置の実施の形態の全体の接続関係を示す構成図である。送信側端末1
10と受信側端末120がネットワーク130を介して接続されている。送信側端末110は、ネッ
トワーク130にパケットを送信する送信側通信装置111と、送信側通信装置111を通じてネ
ットワーク130にパケットのデータを送り込む送信側アプリケーション112から構成されて
いる。受信側端末120は、ネットワーク130からパケットを受信する受信側通信装置121と
、受信側通信装置121からパケットのデータを取り込む受信側アプリケーション122から構
成されている。なお、送信側端末110と受信側端末120の送信側、受信側の役割は説明のた
めに便宜的に固定しているものであり、実際は随意役割を入れ替え、相互にデータを送受
するとして問題ない。
【００３３】
（第１の実施の形態）
図2は、本発明に係る受信側通信装置の第1の実施の形態の構成図である。図2を参照する
と、本発明に係る受信側通信装置（以下、通信装置200）は、ネットワークインターフェ
ース201、データ受信部202、通信プロトコルスタック203、スヌープパケット出力部204を
含む。これらの手段は次のように動作する。
【００３４】
ネットワークインターフェース201は図1のネットワーク130と接続し、パケットの送受
信を行う。データ受信部202は、通信プロトコルスタック203及びスヌープパケット出力部
204からパケットデータを受け取り、パケットデータの重複がないように、重複して届い
たパケットを廃棄する。図１の受信側アプリケーション122はデータ受信部202からパケッ
トデータを受信する。通信プロトコルスタック203はネットワークインターフェース201を
通じてのパケットの送受信を管理する。スヌープパケット出力部204は、ネットワークイ
ンターフェースから受信パケットをスヌープする。ここで行われるスヌープ処理とは、ネ
ットワークインターフェースが受信する特定のパケットを複製する処理を指す。以降、こ
のフローを繰り返す。
【００３５】
なお、通信プロトコルスタック203は、図29に表されるように、ネットワークインター
フェース側のプロトコルスタック2031と、データ受信部側のインターフェースとなるソケ
ットインターフェース2032として多層的に実現することもできる。また、スヌープパケッ
ト出力部204についても、図30に示されるように、ネットワークインターフェース側のパ
ケットスヌープ部2041と、データ受信部側のインターフェースとなるスヌープインターフ
ェース2042のように階層的に実装することもできる。なお、このことは後述する第２から
第８の実施の形態における通信プロトコルスタック、パケット監視部においても同様であ
る。
【００３６】
次に図2の構成図および図3のフローチャートを参照して、本実施の形態の全体の動作に
ついて詳細に説明する。
【００３７】
通信装置200のスヌープパケット出力部204は、ネットワークインターフェース201から
到着パケットをスヌープする(ステップS101)。データ受信部202は、スヌープパケット出
力部204からパケットデータを受け取る（ステップS102)。またデータ受信部202は、ステ
ップS102に並行して、通信プロトコルスタック203からパケットデータを受け取る(ステッ
プS111)。データ受信部202は、図2のS102 において受け取ったパケットデータとの重複が
ないように、重複して受け取ったものがあればパケットデータの片方を廃棄する(ステッ
プS103)。図示しないアプリケーションは、データ受信部202からパケットデータを受け取
り、データの再現を行う(ステップS104)。
【００３８】
次に本発明の実施の形態の動作を図4のシーケンス図に示される、通信プロトコルとし
てTCP/IPを採用した場合の一例を基にして具体的に説明する。以下では、輻輳制御及び再
送制御の実施を判断するためのDuplicated ACKの受信回数を、TCP/IPで一般的に採用され
ている3回としている。なお、以下の記載、および図において、「＃  L」はシーケンス番
号Lのパケットを表し、「ACK M」はシーケンス番号Mが付されたACKを表し、「Dup ACK N
」はシーケンス番号Nが付されたDuplicated ACKを表すものとする。
【００３９】
通信装置のネットワークインターフェース201は、図1におけるネットワーク130を通じ
て送信側の端末110からシーケンス番号1のデータパケットを受信する(401)。通信プロト
コルスタック203はデータパケットをネットワークインターフェース201から取得し(402)
、シーケンス番号１の[ACK 1]をネットワークインターフェース201に送出する(403)。ネ
ットワークインターフェース201は、送信側の端末110に[ACK 1]を送信する(408)。通信プ
ロトコルスタック203は、パケットデータをデータ受信部に送信する(405)。通信プロトコ
ルスタック203がパケットを取得するのに先行、または並行して、スヌープパケット出力
部204は、データパケットをネットワークインターフェース201からスヌープして(404)、
データ受信部202に送信する(406)。データ受信部202は、シーケンス番号1のデータパケッ
トを重複して取得したことから、そのうち１つを廃棄して、405または406で受信したどち
らかのパケットデータのみを図示しないアプリケーションに送信する(407)。
【００４０】
次にシーケンス番号2のパケットが損失し(409)、続いて送信側端末110からはシーケン
ス番号3のパケットがネットワークインターフェース201に到達したとする(410)。通信プ
ロトコルスタック203はデータパケットをネットワークインターフェース201から取得し(4
11)、まだシーケンス番号2のデータパケットを受信していないことから、 Duplicated AC
Kと呼ばれる [Dup ACK 1]をネットワークインターフェース201に送出する(412)。ネット
ワークインターフェース201は、送信側端末110に[Dup ACK 1]を送信する(416)。通信プロ
トコルスタック203は、シーケンス番号2のデータパケットを受信していないことからパケ
ットデータをデータ受信部202に送信することはしない。通信プロトコルスタック203がパ
ケットを取得するのに先行、または並行して、スヌープパケット出力部204は、データパ
ケットをネットワークインターフェース201からスヌープして(413)、データ受信部202に
送信する(414)。データ受信部202は、414でスヌープパケット出力部204から受信したパケ
ットデータを図示しないアプリケーションに送信する(415)。
【００４１】
シーケンス番号4、シーケンス番号5のパケットの到達においても、シーケンス番号3の
パケットの到達時と同様の動作が繰り返され、送信側端末110には、２つのDuplicated AC
Kが到達する(418,420)。また、データ受信部202からアプリケーションには、シーケンス
番号4のパケットデータ、シーケンス番号5のパケットデータが送出される(417,419)。
【００４２】
送信側端末110では、輻輳制御のトリガーとなる連続して3つ目のDuplicated ACKが到達
したとき(420)に、輻輳制御が実施される。また、同時にシーケンス番号2のパケットが損
失したことが検知され、シーケンス番号2のパケットを再送する(421)。ネットワークイン
ターフェースがシーケンス番号2のパケットを受信すると、通信プロトコルスタック203は
パケットを取得し(422)、[ACK 5]を生成してネットワークインターフェース201に送出す
る(423)。ここで、通信プロトコルスタックは、シーケンス番号5までのパケットを受信完
了したことになるため、ACKにはシーケンス番号5が付される。通信プロトコルスタック20
3は、シーケンス番号2から5のデータパケットを、データ受信部202に送出する(425〜428)
。通信プロトコルスタックがシーケンス番号2のパケットを取得するのに先行、または並
行して、スヌープパケット出力部204は、データパケットをネットワークインターフェー
ス201から受信して(424)、データ受信部202に送信する(429)。データ受信部202は、シー
ケンス番号5までのデータパケットを既に取得していることから、425から428で受信した
シーケンス番号2から5のパケットを廃棄する。
【００４３】
なお、上記例では、シーケンス番号2のパケットのデータがアプリケーションに渡され
ないことになるので、アプリケーションの側でそのようなパケットの損失に対応している
必要はある。例えば、映像や音声のようなアプリケーションでは、損失したパケットの前
後に受信したデータから損失したパケットのデータを予測する技術を有する場合が多く、
このような技術を活用することで対応が可能である。
【００４４】
次に、本実施の形態の効果について説明する。本実施の形態では、通信プロトコルスタ
ックの再生制御のために損失したパケットが再送されるまで、アプリケーションにデータ
を提供できない場合であっても、ネットワークインターフェースから、通信プロトコルス
タックが受信するデータを、直接スヌープパケット出力部がスヌープし、データ受信部20
2を通じて受け取ることで、損失したパケットが再送されるより前に、後続のパケットを
受け取ることが可能である。図4の例では、440で示される時間の遅延を削減することが可
能となる。
【００４５】
これにより、パケットロスによる再送制御の影響を受けることなく、損失したパケット
以降のパケットを連続的に受け取ることが出来る。アプリケーションが映像や音声等を再
現するものの場合を例とすると、映像や音声を途切れることなく再生することが可能とな
る。
【００４６】
さらに本実施の形態では、スヌープパケット出力部のスヌープは、通信プロトコルの再
送制御には影響を与えていないため、輻輳制御は実行される。リアルタイム性を要求する
アプリケーションにおいて再送制御と輻輳制御を伴う通信プロトコルでデータを送受信し
た場合に、輻輳制御を損なうことなく、再送制御に伴うデータを再現するまでの遅延を削
減できる。
【００４７】
また、本実施の形態では、スヌープパケット出力部が、通信プロトコルスタックを介さ
ずに直接ネットワークインターフェースからスヌープしている。つまり通信プロトコルに
修正を加える必要がない。通信プロトコルは、コンピュータのオペレーションシステムの
一部（カーネル）として実装されていることも多く、修正を施すことが困難なケースも多
いが、本実施の形態の構成を取れば、通信プロトコルに手を入れる必要がない。
【００４８】
（第2の実施の形態）
次に本発明の第2の実施の形態について、図面を参照して説明する。
【００４９】
図5は、本発明に係る受信側通信装置の第2の実施の形態の構成図である。図5を参照す
ると、本発明に係る受信側通信装置（以下、通信装置500）は、ネットワークインターフ
ェース501、通信プロトコルスタック502、パケット監視部503、ダミーパケット生成部504
を含む。これらの手段は次のように動作する。ネットワークインターフェース501は、図1
のネットワーク130と接続し、パケットの送受信を行う。通信プロトコルスタック502はネ
ットワークインターフェース501を通じたパケットの送受信を管理する。受信したパケッ
トは通信プロトコルの制御にしたがって図1に示す受信側のアプリケーション122に送られ
る。なお、本実施の形態では、データの重複受信を行わない構成としたので、実施の形態
１における重複したデータの削除を行うデータ受信部は構成として不要となる。
【００５０】
パケット監視部503は、ネットワークインターフェース501を経由して送受信されるパケ
ットを監視し、Duplicated ACKの送信を検出する。そのDuplicated ACKが通信プロトコル
における輻輳制御のトリガーとなるもの、つまりそのDuplicated ACKが送信側で受信され
た場合に、輻輳制御を起こすACKである場合、パケット監視部503はダミーパケット生成部
504にダミーパケットの生成を要求する。ダミーパケット生成部504は、ダミーパケットを
生成し、ネットワークインターフェース501を通じて通信プロトコルスタック502に送信す
る。ここで生成されるダミーパケットとは、損失したパケットに含まれるシーケンス番号
等のヘッダ情報が同一であるパケットである。パケットのデータ部分は空であってもよい
し、前回に受信したデータの複製データとするなどしても問題ない。
【００５１】
次に図5、および図6を参照して、本実施の形態の全体の動作について詳細に説明する。
図6は、本発明の第２の実施の形態に係る通信装置の動作を示すフローチャートである。
通信装置500のパケット監視部503は、ネットワークインターフェース501を経由して送受
信されるパケットを監視する (図6のS201)。
【００５２】
パケット監視部503は、送受信されるパケットからDuplicated ACKの送信を検出し、そ
のDuplicated ACKが通信プロトコルにおける輻輳制御のトリガーとなるもの、つまりその
Duplicated ACKが送信側端末で受信された場合に、輻輳制御を起こすACKであるかを判断
する(図6のS202)。輻輳制御のトリガーとなる予め定められた回数のDuplicated ACKが検
出されるまで、S201、S202を繰り返す。
【００５３】
輻輳制御を起こすDuplicated ACKであると判断された場合、ダミーパケット生成部504
に通知が行われ、ダミーパケット生成部504がダミーパケットの生成を行い、ネットワー
クインターフェース501を通じて通信プロトコルスタック502に送信する(図6のS203)。こ
こで、輻輳制御を起こすDuplicated ACKが検出されるとは、通信プロトコルがTCP/IPであ
る場合、同一シーケンス番号が付加されたDuplicated ACKの3回目の送信が検出された場
合が相当する。以降、S201からS203を繰り返す。
【００５４】
次に本発明の実施の形態の動作を図7のシーケンス図に示される、通信プロトコルとし
てTCP/IPとした場合の一例を基にして具体的に説明する。以下では、輻輳制御及び再送制
御の実施を判断するためのDuplicated ACKの受信回数を、TCP/IPで一般的に採用されてい
る3回としている。
【００５５】
通信装置のネットワークインターフェース501は、図１に示すネットワーク130を通じて
送信側端末110から送信されるシーケンス番号1のデータパケットを受信する(701)。通信
プロトコルスタック502はデータパケットをネットワークインターフェース501から取得し
(702)、シーケンス番号１の[ACK 1]をネットワークインターフェース501に送出する(703)
。ネットワークインターフェース501は、送信側端末110に[ACK 1]を送信する(705)。通信
プロトコルスタック502は、シーケンス番号1のパケットデータを図1に示す受信側アプリ
ケーション122に送信する(704)。
【００５６】
次にシーケンス番号2のパケットが損失し(706)、続いて送信側端末110からはシーケン
ス番号3のパケットがネットワークインターフェース501に到達したとする(707)。通信プ
ロトコルスタック502はデータパケットをネットワークインターフェース501から取得し(7
08)、まだシーケンス番号2のデータパケットを受信していないことから、シーケンス番号
１までしか受信していないことを意味する、Duplicated ACKと呼ばれる[Dup ACK 1]をネ
ットワークインターフェース501に送出する(709)。ネットワークインターフェース501は
、送信側端末110に[Dup ACK 1]を送信する(710)。通信プロトコルスタック502は、シーケ
ンス番号2のデータパケットを受信していないことからシーケンス番号3のパケットデータ
を受信側アプリケーション122に送信することはしない。
【００５７】
シーケンス番号4、シーケンス番号5のパケットの到達においても、シーケンス番号3の
パケットの到達時と同様の動作が繰り返され、送信側端末110には、Duplicated ACK [ACK
1]が到達する(711〜718)。
【００５８】
パケット監視部503は輻輳制御のトリガーとなる連続して3つ目のDuplicated ACKを検出
すると（718, 719）、ダミーパケット生成部504にダミーパケットの生成を要求する(720)
。ダミーパケット生成部504は、シーケンス番号2のダミーパケットを生成し、ネットワー
クインターフェース501を通じて、通信プロトコルスタック502に送信する(721,722)。通
信プロトコルスタック502は、シーケンス番号2のダミーパケットを受信側アプリケーショ
ン122に送信する（723）すると同時に、既に受け取っているシーケンス番号3から5のパケ
ットを受信側アプリケーション122に送信する（724〜726）。
【００５９】
また、通信プロトコルスタック502は、シーケンス番号5までのパケットを受信できたこ
とから、シーケンス番号5のACKを送出する(728, 729)。
【００６０】
送信側端末110では、輻輳制御のトリガーとなる連続して3つ目のDuplicated ACKが718
で到達したときに、輻輳制御が働く。同時にシーケンス番号2のパケットが損失したこと
が検知され、シーケンス番号2のパケットが再送される(727)。ネットワークインターフェ
ース501がこの再送パケット（シーケンス番号2）を受信し(727)、通信プロトコルスタッ
ク502はパケットを取得するが(730)、これまでにシーケンス番号5までのパケットを受信
完了したことになるため、この再送パケット（シーケンス番号2）の受信において、シー
ケンス番号5を付したACKを生成してネットワークインターフェース501に送出する(731)。
通信プロトコルスタック502は、重複して受け取ったパケット、ここでの例ではシーケン
ス番号2のデータパケット、については廃棄を行う(733)。
【００６１】
次に本実施の形態の効果について説明する。
【００６２】
本実施の形態では、通信プロトコルスタックの再生制御のために損失したパケットが再
送されるまで、アプリケーションにデータを提供できない場合であっても、ダミーパケッ
ト生成部がダミーパケットを生成し、通信プロトコルに提供することで、損失したパケッ
トが再送されるより前に、パケットを受け取ることが可能である。図7の例では、受信側
アプリケーションにシーケンス番号2のダミーパケットのデータが到着する時刻(723)から
、従来の方法で受信側アプリケーションにシーケンス番号2のパケットのデータが届く時
刻(741)の間の時間分の遅延を削減することが可能となる。つまり、おおよそ、再送制御
のトリガーとなるDuplicated ACKの送出から、ロスパケットが再送されるまでの時間を削
減することが可能となり、パケットロスによる再送制御の影響を軽減することが出来る。
アプリケーションが映像や音声等を再現する場合を例とすると、映像や音声を途切れるこ
となく再生することが可能となる。
【００６３】
さらに本実施の形態では、ダミーパケットの生成を輻輳制御のトリガーとなるDuplicat
ed ACKが送信されるのを待ってから行うため、通信プロトコルの輻輳制御に影響を与えて
いない。そのため、リアルタイム性を要求するアプリケーションにおいて再送制御と輻輳
制御を伴う通信プロトコルでデータを送受信した場合に、輻輳制御を損なうことなく、再
送制御に伴うデータを再現するまでの遅延を削減できる。
【００６４】
また、本実施の形態では、パケット監視部が、通信プロトコルスタックを介さずに直接
ネットワークインターフェースを監視している。つまり通信プロトコルに修正を加える必
要がない。通信プロトコルは、コンピュータのオペレーションシステムの一部（カーネル
）として実装されていることも多く、修正を施すことが困難なケースも多いが、本実施の
形態の構成を取れば、通信プロトコルに手を入れる必要がない。
【００６５】
（第３の実施の形態）
次に本発明の第3の発明の実施の形態について、図面を参照して説明する。
【００６６】
図8は、本発明に係る受信側通信装置の第3の実施の形態の構成図である。図8を参照す
ると、本発明に係る受信側通信装置（以下、通信装置800）は、ネットワークインターフ
ェース801、通信プロトコルスタック802、パケット監視部803、ACK生成部804を含む。
【００６７】
これらの手段は次のように動作する。ネットワークインターフェース801は、図1に示す
ネットワーク130と接続し、パケットの送受信を行う。通信プロトコルスタック802はパケ
ットの送受信を管理し、通信プロトコルの動作にしたがってパケットのデータを図1に示
す受信側アプリケーション122に送る。パケット監視部803は、ネットワークインターフェ
ース801を経由して送受信されるパケットを監視し、Duplicated ACKの送信を検出する。D
uplicated ACKの送信を検出するとパケット監視部803は、ACK生成部804にダミーのDuplic
atd ACKの生成を要求する。ACK生成部804は輻輳制御を発生させるために必要な個数のDup
licated ACKを生成し、ネットワークインターフェース801を通じて、図1に示す送信側端
末110に送信する。
【００６８】
次に図8の構成図、および図9のフローチャートを参照して、本実施の形態の全体の動作
について詳細に説明する。通信装置800のパケット監視部803は、ネットワークインターフ
ェース801を経由して送受信されるパケットを監視する (図9のS301)。パケット監視部803
は、送受信されるパケットからDuplicated ACKの送信を検出する(図9のS302)。Duplicate
d ACKが検出されるまで、S301、S302を繰り返す。Duplicated ACKが検出された場合、パ
ケット監視部803からダミーACK生成部804に通知が行われ、ダミーACK生成部804は、輻輳
制御及び再送制御を発生させるために必要な個数のDuplicated ACKの生成を行い、ネット
ワークインターフェース801に送信する(図9のS303)。以降、ステップS301からステップS3
03を繰り返し行う。
【００６９】
次に本発明の実施の形態の動作を図10のシーケンス図に示される、通信プロトコルとし
てTCP/IPとした場合の一例を基にして具体的に説明する。再送制御及び輻輳制御は、同一
シーケンス番号のDuplicated ACKを3つ受け取ったときに発生すると設定されているとす
る。
【００７０】
通信装置のネットワークインターフェース801は、図1で示すネットワーク130を通じて
送信側端末110から送出されてきたシーケンス番号1のデータパケットを受信する(1001)。
通信プロトコルスタック802はデータパケットをネットワークインターフェース801から取
得し(1002)、シーケンス番号１の確認応答である[ACK 1]をネットワークインターフェー
ス801に送出する(1003)。ネットワークインターフェース801は、送信側端末110に[ACK 1]
を送信する(1005)。通信プロトコルスタックは、シーケンス番号1のパケットデータを受
信側アプリケーション122に送信する(1004)。
【００７１】
次にシーケンス番号2のパケットが損失(1006)、続いて送信側端末110からはシーケンス
番号3のパケットがネットワークインターフェース801に到達したとする(1007)。通信プロ
トコルスタック802はシーケンス番号3のデータパケットをネットワークインターフェース
801から取得し(1008)、まだシーケンス番号2のデータパケットを受信していないことから
、シーケンス番号１のDuplicated ACKと呼ばれる[Dup ACK 1]をネットワークインターフ
ェース801に送出する(1009)。ネットワークインターフェース801は、送信側端末110に[Du
p ACK  1]を送信する(1010)。通信プロトコルスタック802は、シーケンス番号2のデータ
パケットを受信していないことからシーケンス番号3のパケットのデータを受信側アプリ
ケーション122に送信することはしない。
【００７２】
ここで、パケット監視部803は、ネットワークインターフェース801からDuplicated ACK
が送出されたこと(1009, 1010の処理)を検出すると(1011)、ACK生成部804に、Duplicated
ACKの生成を要求する（1012）。ACK生成部804は、検出したDuplicated ACKに加えて幾つ
のDuplicated ACKが送信側端末に届けば、再送制御及び輻輳制御が発生するかを算出し、
その算出した数の分だけのダミーのDuplicated ACKを生成する。ここでの例では、３つの
Duplicated ACKが届くと、再送制御及び輻輳制御が発生することから、2個のダミーのDup
licated ACKを生成し、送出することになる(1013〜1016)。
【００７３】
送信側端末110では、再送制御のトリガーとなるDuplicated ACKが到達したとき(1016)
に、シーケンス番号2のパケットが損失したことが検知され、シーケンス番号2のパケット
が再送される(1017)。また、再送制御と同時に輻輳制御も働く。ネットワークインターフ
ェース801がシーケンス番号2のパケットを受信すると、通信プロトコルスタック802はパ
ケットを取得し(1018)、これまでにシーケンス番号3までのパケットを受信完了したこと
になるため、このシーケンス番号3を付したACKを生成してネットワークインターフェース
801を通じて、送信側端末110に送出する(1021,1022)。通信プロトコルスタック802は、既
に受信完了しているシーケンス番号3までのパケットのデータを、受信側アプリケーショ
ン122に送信する(1019, 1020)。
【００７４】
次に本実施の形態の効果について説明する。本実施の形態では、パケットが損失したこ
とを、パケット監視部がネットワークインターフェース部においてDuplicated ACKを監視
することで検出すると、直ちに再送制御が実施されるよう、ACK生成部が複数個のDuplica
ted ACKを追加生成し送信側端末に送信することで、従来よりも早期にロスパケットの再
送が実行される。このため、ロスパケットが再送されるまでの時間を従来よりも削減でき
る。映像や音声等を再現するアプリケーションの場合を例とすると、映像や音声を途切れ
ることなく再生することが可能となる。
【００７５】
さらに本実施の形態では、Duplicated ACKの送信を促進する方向であることから、通信
プロトコルの輻輳制御を抑制しない。そのため、リアルタイム性を要求するアプリケーシ
ョンにおいて再送制御と輻輳制御を伴う通信プロトコルでデータを送受信した場合に、輻
輳制御を損なうことなく、再送制御に伴うデータを再現するまでの遅延を削減できる。
【００７６】
また、本実施の形態では、パケット監視部が、通信プロトコルスタックを介さずに直接
ネットワークインターフェースを監視しており、かつ新たに生成されるDuplicated ACKも
直接ネットワークインターフェースに送信されている。つまり通信プロトコルに修正を加
える必要がない。通信プロトコルは、コンピュータのオペレーションシステムの一部（カ
ーネル）として実装されていることも多く、修正を施すことが困難なケースも多いが、本
実施の形態の構成を取れば、通信プロトコルに手を入れる必要がない。
【００７７】
（第４の実施の形態）
次に本発明の第4の実施の形態について、図面を参照して説明する。
【００７８】
図11は、本発明に係る受信側通信装置の第4の実施の形態の構成図である。本発明に関
わる受信側通信装置（以下、通信装置1100）は、ネットワークインターフェース1101、通
信プロトコルスタック1102、パケット監視部1103、ダミーパケット生成部1104、ACK生成
部1105を含む。
【００７９】
これらの手段は次のように動作する。ネットワークインターフェース1101は、図1に示
されるネットワーク130と接続し、パケットの送受信を行う。通信プロトコルスタック110
2はパケットの送受信を管理し、通信プロトコルの動作にしたがってパケットのデータを
図1で示される受信側アプリケーション122に送信する。パケット監視部1103は、ネットワ
ークインターフェース1101を経由して送受信されるパケットを監視し、Duplicated ACKの
送信を検出する。Duplicated ACKの送信を検出するとパケット監視部1103は、ダミーパケ
ット生成部1104及びACK生成部1105に通知を行う。ダミーパケット生成部1104は、パケッ
ト監視部1103の通知を受けると、ロスパケットのダミーパケットを生成し、ネットワーク
インターフェース1101を通じて、通信プロトコルスタック1102に送信する。ACK生成部110
5は、パケット監視部1103の通知を受けると、輻輳制御を発生させるために必要な個数のD
uplicated ACKを生成し、ネットワークインターフェース1101に送信する。
【００８０】
次に図11の構成図、および図12のフローチャートを参照して、本実施の形態の全体の動
作について詳細に説明する。通信装置1100のパケット監視部1103は、ネットワークインタ
ーフェース1101を経由して送受信されるパケットを監視する (図12のS401)。パケット監
視部1103は、送受信されるパケットからDuplicated ACKの送信を検出し、Duplicated ACK
が検出された場合、パケット監視部1103からダミー生成部1104及びACK生成部1105に通知
が行われる。(図12のS402)。ダミーパケット生成部1104はロスパケットのダミーパケット
を生成し、ネットワークインターフェース1101を通じて、通信プロトコルスタックに送信
する(図12のS403)。合わせてACK生成部1105は複数個のDuplicated ACKの生成を行い、ネ
ットワークインターフェース1101を通じて、送信側端末110に送信する(図12のS404)。こ
のとき、ACK生成部1105は、送信側端末110が再送制御及び輻輳制御を実行するために必要
なだけのDuplicated ACKを少なくとも生成して追加する。
【００８１】
次に本発明の実施の形態の動作を図13のシーケンス図に示される、通信プロトコルとし
てTCP/IPとした場合の一例を基にして具体的に説明する。再送制御及び輻輳制御は、同一
シーケンス番号のDuplicated ACKを3つ以上、受け取ったときに発生すると設定されてい
るとする。
【００８２】
通信装置のネットワークインターフェース1101は、図1に示す送信側端末110からシーケ
ンス番号1のデータパケットを受信する(1301)。通信プロトコルスタック1102はデータパ
ケットをネットワークインターフェース1101から取得し(1302)、シーケンス番号１の確認
応答 [ACK 1]をネットワークインターフェース1101に送出する(1303)。ネットワークイン
ターフェース1101は、送信側端末110に[ACK 1]を送信する(1305)。通信プロトコルスタッ
ク1102は、シーケンス番号1のパケットデータを図1に示す受信側アプリケーション112に
送信する(1304)。
【００８３】
次にシーケンス番号2のパケットが損失し、続いて送信側端末110からはシーケンス番号
3のパケットがネットワークインターフェース1101に到達したとする(1306,1307)。通信プ
ロトコルスタック1102はシーケンス番号3のデータパケットをネットワークインターフェ
ース1101から取得し(1308)、まだシーケンス番号2のデータパケットを受信していないこ
とから、シーケンス番号１のDuplicated ACK である[Dup ACK 1]をネットワークインター
フェース1101に送出する(1309)。ネットワークインターフェース1101は、送信側端末110
に[Dup ACK 1]を送信する(1310)。通信プロトコルスタック1102は、シーケンス番号2のデ
ータパケットを受信していないことからシーケンス番号3のパケットデータをアプリケー
ションに送信することはしない。
【００８４】
ここで、パケット監視部1103は、ネットワークインターフェース1101からDuplicated A
CKが送出されたこと(1309,1310の処理)を検出すると(1311)、ダミーパケット生成部1104
にダミーパケットの生成、ACK生成部1105に複数個のDuplicated ACKの生成を要求する（1
312,1313）。ダミーパケット生成部1104は、シーケンス番号2のロスパケットのダミーパ
ケットを生成し、ネットワークインターフェース1101を通じて、通信プロトコルスタック
1102に送信する(1318)。
【００８５】
通信プロトコルスタック1102は、シーケンス番号2のパケットが受信できたと判断し(13
19)、シーケンス番号2とシーケンス番号3のパケットのデータを受信側アプリケーション1
22に送信する(1320, 1321)。ダミーパケットの生成直後、または直前にACK生成部1105は
、検出したDuplicated ACKに加え、幾つのDuplicated ACKが送信側端末に届けば、再送制
御及び輻輳制御が発生するかを算出し、その算出した数の分だけのDuplicated ACKを生成
する(1314,1316)。ここでの例では、３つのDuplicated ACKが届くと、再送制御が発生す
ることから、2個のDuplicated ACKを追加生成して、ネットワークインターフェース1101
に送出することになる(1314〜1317)。
【００８６】
一方、通信プロトコルスタック1102はダミーパケットを取得すると(1319)、これまでに
シーケンス番号3までのパケットを受信完了したことになるため、このシーケンス番号3を
付した[ACK 3]を生成してネットワークインターフェース1101に送出する(1323)。
【００８７】
送信側端末110では、再送制御のトリガーとなる所定の個数のDuplicated ACK、ここで
の例では3個のDuplicated ACKが到達したとき(1317)に、シーケンス番号2のパケットが損
失したことが検知され、シーケンス番号2のパケットが再送される(1322)。送信側では、
再送制御と同時に輻輳制御も実行される。ただし、この時点ではシーケンス番号3の[ACK 
3]は送信側に届いてなかったものとして説明を行っている。
【００８８】
ネットワークインターフェース1101が再送されたシーケンス番号2のパケットを受信す
ると(1322)、通信プロトコルスタック1102はシーケンス番号2のパケットを取得するが(13
25)、これまでにシーケンス番号3までのパケットを受信完了したことになっているため、
シーケンス番号3のパケットまで受信したことを示す[ACK 3]を生成してネットワークイン
ターフェース1101に送出する(1326)。また、このとき、通信プロトコルスタック1102は、
既に受信完了していると判断した1325で受信したシーケンス番号2のパケットを廃棄する
。
【００８９】
次に本実施の形態の効果について説明する。本実施の形態では、パケットが損失したこ
とを、パケット監視部がネットワークインターフェース部においてDuplicated ACKを監視
することで検出すると、直ちに再送制御が実施されるよう、ACK生成部が複数個のDuplica
ted ACKを生成し、また、送信側端末に送信するのと同時にダミーパケット生成部がロス
パケットのダミーパケットを生成する。そのため、ロスパケットの再送を待たずに後続の
受信済みのパケットのデータを受信側アプリケーションが受信することができるため、第
3の実施の形態よりもデータの再現までの遅延を削減することができる。より具体的に説
明すれば、実施の形態３に記載したやり方では、図10の1019、1020のタイミングでしか受
信側アプリケーションがパケットのデータを受信できなかったのが、1320、1321のタイミ
ングでデータを受信できるようになり、実施の形態3と比較し、遅延を削減することが可
能となる。
【００９０】
（第5の実施の形態）
次に本発明の第5の実施の形態について、図面を参照して説明する。
【００９１】
本発明に係る受信側通信装置の第5の実施の形態の構成は、図11に示される第4の実施の
形態の構成と同じである。本発明に関わる受信側通信装置（以下、通信装置1100）は、ネ
ットワークインターフェース1101、通信プロトコルスタック1102、パケット監視部1103、
ダミーパケット生成部1104、ACK生成部1105を含む。
【００９２】
これらの手段は次のように動作する。ネットワークインターフェース1101は、図1に示
すネットワーク130と接続し、パケットの送受信を行う。通信プロトコルスタック1102は
パケットの送受信を管理する。パケット監視部1103は、ネットワークインターフェース11
01を経由して送受信されるパケットを監視し、パケットのシーケンス番号を監視する。パ
ケットのシーケンス番号の順序性が崩れたとき、つまりパケットのシーケンス番号が１つ
順に増加しておらず、シーケンス番号が連続していない、または大きいシーケンス番号の
パケットが先に到着する、などが観測された場合、パケット監視部1103は、ダミーパケッ
ト生成部1104に本来受信すべきシーケンス番号のダミーパケットの生成を要求する。ダミ
ーパケット生成部1104は、ダミーパケットを生成し、ネットワークインターフェース1101
を通じて、通信プロトコルスタック1102に送信する。
【００９３】
また、パケット監視部1103は順序性が崩れた、つまり、正しい順番で届かなかったパケ
ットが、その次に連続的に届くパケット、例えば、通信プロトコルがTCPであれば、輻輳
制御及び再送制御の判断に必要となるDuplicated ACKの個数、一般的には3個以上、が必
要になるため、既に到着したパケットに加え、その次に到着する2個のパケットに、まだ
到着していないパケットが含まれるかどうかを監視する。もし、該当するパケットが含ま
れていなければ、パケット監視部1103は、パケット消失が発生したと判断し、ACK生成部1
105に複数個のDuplicated ACKの生成を要求する。
【００９４】
ACK生成部1105は、送信側端末に輻輳制御を発生させるために必要となるDuplicated AC
Kを複数個、標準的なTCPの実装では、3個以上のDuplicated ACKを生成し、送信側端末に
送信する。送信側端末は3個以上のDuplicated ACKを受信するため、再送制御及び輻輳制
御を実施する。
【００９５】
次に、本実施の形態の全体の動作について、図11の構成図および図14のフローチャート
を参照して詳細に説明する。
【００９６】
パケット監視部1103は、ネットワークインターフェース1101を経由して送受信されるパ
ケットのシーケンス番号を監視する(図14のS501)。パケットのシーケンス番号の順序性が
崩れた場合、例えば、パケットのシーケンス番号が１つ順に増加しないで到着する、また
は大きいシーケンス番号のパケットが先に到着する、などが観測された場合、パケット監
視部1103はダミーパケット生成部1104にダミーパケットの生成を要求し(図14のS502)、ダ
ミーパケット生成部1104はS502で未到着パケット、つまり、本来シーケンスの順序に沿っ
て受信されるべきパケットで受信できていないパケット、と観測されたシーケンス番号の
ダミーパケットを、ネットワークインターフェース1101を通じて、通信プロトコルスタッ
ク1102に送信する(図14のS503)。
【００９７】
パケット監視部1103は、未到着パケットが次に連続して到着するパケット、例えば、TC
Pであれば、シーケンス番号通りにパケットが到着しない可能性があるため、TCPでは複数
回、一般には3回のパケットを受信する間にシーケンス通りのパケットが到着することが
期待されており、その間にパケットが到着しない場合のみ、再送制御及び輻輳制御を行う
ため、既に到着したパケットに加え、その次に到着する2個のパケット、つまり、連続し
て受信する3個のパケットに含まれるかどうかを監視する(図14のS504)。
【００９８】
該当するパケットが含まれない場合、パケット監視部1103は、ACK生成部1105にDuplica
ted ACKの生成を要求し、ACK生成部1105はその時点で最後に受信したパケットが損失した
と仮定し、その旨を示す複数個のDuplicated ACK、例えば、TCPの場合、再送制御及び輻
輳制御が実施される3個以上のDuplicated ACK、を生成し、送信者側端末110に送信する(
図14のS505)。以降、図14のステップS501からS505を繰り返す。また、図14のステップS50
2でパケットのシーケンス番号の順序性が保たれていた場合も、ステップS501からS505を
繰り返す。
【００９９】
次に本発明の実施の形態の動作を図15のシーケンス図に示される、通信プロトコルをTC
P/IPとした場合の一例を基にして具体的に説明する。輻輳制御及び再送制御は、同一シー
ケンス番号のDuplicated ACKを3つ受け取ったときに発生すると設定されているとする。
【０１００】
ネットワークインターフェース1101は、送信側端末110から送信されたシーケンス番号1
のパケットを受信する(1501)。ネットワークインターフェース1101が受信したデータは通
信プロトコルスタック602に渡され(1502)、パケット監視部1103は、1501で受信したパケ
ットをスヌープし、シーケンス番号を確認する(1503)。通信プロトコルスタック1102は、
1502で受信したデータを受信側アプリケーション122へ渡す (1504)。
【０１０１】
通信プロトコルスタック1102はデータを受信したことを意味するACKパケット[ACK 1]を
、ネットワークインターフェース1101を通じて、送信側端末に通知する(1505,1506)。本
シーケンスで示す例においては、次に送信側端末110から送信されるシーケンス番号2のパ
ケットが伝送中に何らかの原因により損失したと仮定する(1507)。送信側端末110は続け
てシーケンス番号3のパケットを送信する(1508)。ネットワークインターフェース1101は
シーケンス番号3のパケットを受信し、通信プロトコルスタック1102に送信する(1509)。
通信プロトコルスタック1102では、シーケンス番号2のパケットを受信していないため、
受信側アプリケーション122にパケットを渡すことは出来ず、同時にシーケンス番号2のデ
ータが届いていないことを通知するために[Dup ACK 1]のパケットを送信側端末110に通知
する(1511, 1512)。
【０１０２】
パケット監視部1103は、ネットワークインターフェース1101が受信したシーケンス番号
3のパケットをスヌープし、シーケンス番号のチェックを行う(1510)。パケット監視部110
3はシーケンス番号の欠落を検出し、欠落したシーケンス番号2を記憶しておくと同時に、
ダミーパケット生成部1104にダミーパケットの生成を要求する(1513)。ダミーパケット生
成部1104はシーケンス番号2のパケットに該当するダミーパケットを生成し、ネットワー
クインターフェース1101を通じて、通信プロトコルスタック1102に送信する(1514,1515)
。
【０１０３】
通信プロトコルスタック1102はシーケンス番号2のパケットを受信したと判断したこと
から、シーケンス番号2及び3のデータを受信側アプリケーション122に渡す(1516,1517)。
通信プロトコルスタック1102は、データを受信したことを示す[ACK 3]を送信側端末に送
信する(1518,1519)。続けて、送信側端末はシーケンス番号4のパケットを送信する(1520)
。
【０１０４】
通信プロトコルスタック1102はシーケンス番号4のデータをネットワークインターフェ
ース1101から受け取り、受信側アプリケーション122に渡し(1521,1523)、シーケンス番号
4のパケットに対する確認応答である[ACK 4]を送信側端末110に送信する(1524,1525)。パ
ケット監視部1103は、ネットワークインターフェース1101のパケットをスヌープし、ネッ
トワークインターフェース1101を通じて得たパケットのシーケンス番号が4であることか
ら、シーケンス番号2のパケットが届いていないことを確認する(1522)。
【０１０５】
送信側端末がシーケンス番号5のパケットを送信する。通信プロトコルスタック1102は
通常通りの振る舞いを行う(1527,1529,1531)。パケット監視部1103はネットワークインタ
ーフェース1101のパケットをスヌープし、ネットワークインターフェース1101を通じて得
たパケットのシーケンス番号が5であることからシーケンス番号2のパケットが届いていな
いことを確認し、連続して受信する3個のパケットにシーケンス番号2のパケットが含まれ
ていないことから、パケットの損失が発生したと判断する(1528)。パケット監視部1103は
ACK生成部1105にACKの生成を要求する(1530)。ACK生成部1105は、シーケンス番号が5のパ
ケットがロスしたとし、その旨を示す[ACK 5]を輻輳制御が発生するために必要な個数、
本シーケンスではTCPの実装で多く採用されている3個、を生成し、送信側端末に送信する
(1533,1534,1535,1536,1537,1538)。送信側端末はDuplicated ACKを3個以上受信したため
、パケット損失が発生したと判断し、輻輳制御を実施し、データ送信を継続する。
【０１０６】
次に、本実施の形態によるさらなる効果について説明する。本実施の形態では、パケッ
トのシーケンス番号の順序性が崩れた場合でも、その次に連続的に届くパケットのシーケ
ンス番号を確認し、動作するため、パケットの到着順序が狂った場合でも輻輳制御及び再
送制御の実施を抑制することが出来る。
【０１０７】
（第6の実施の形態）
次に本発明の第6の実施の形態について、図面を参照して説明する。
【０１０８】
図16は、本発明に係る受信側通信装置の第６の実施の形態の構成図である。本発明に関
わる受信側通信装置（以下、通信装置1600）は、ネットワークインターフェース1601、通
信プロトコルスタック1602、パケット監視部1603、再送可否判断部1604、ダミーパケット
生成部1605、ACK生成部1606、を含む。これらの手段は次のように動作する。
【０１０９】
ネットワークインターフェース1601は、図1に示すネットワーク130と接続し、パケット
の送受信を行う。通信プロトコルスタック1602はパケットの送受信を管理する。パケット
監視部1603は、ネットワークインターフェース1601を経由して送受信されるパケットを監
視し、パケットのシーケンス番号を監視する。パケットのシーケンス番号の順序性が崩れ
たとき、つまりパケットのシーケンス番号が１つ順に増加しないで、シーケンス番号が連
続していない、または大きいシーケンス番号のパケットが先に到着する、などが観測され
た場合、パケット監視部1603は、再送可否判断部1604に通知する。再送可否判断部1604は
、その内部に再送可否の必要性を判断するフラグ、再送可否判断フラグを有しており、パ
ケット監視部1603からの通知を受けた際、再送可否判断フラグがセットされている場合、
ダミーパケット生成部1605に通知を行い、再送可否判断フラグがセットされていない場合
、ACK生成部1606に通知を行う。ダミーパケット生成部1605は、再送可否判断部1604から
の通知を受け、ダミーパケットを生成し、ネットワークインターフェース1601を通じて、
通信プロトコルスタック1102に送信する。ACK生成部1606は、再送可否判断部1604からの
通知を受け、Duplicated ACKを複数個生成し、ネットワークインターフェース1601を通じ
て、送信側端末に送信する。
【０１１０】
次に、本実施の形態の全体の動作について、図16の構成図および図17のフローチャート
を参照して詳細に説明する。
【０１１１】
パケット監視部1603は、ネットワークインターフェース1601を経由して送受信されるパ
ケットのシーケンス番号を監視する(図17のS601)。
【０１１２】
パケットのシーケンス番号の順序性が崩れた場合、例えば、パケットのシーケンス番号
が１つ順に増加しないで到着する、または大きいシーケンス番号のパケットが先に到着す
る、などが観測された場合、パケット監視部1603は再送可否判断部1604に通知する(図17
のS602)。また、順番通りに届いている場合、次のパケットの到着に備える。
【０１１３】
パケット監視部1603の通知を受けた再送可否判断部1604は、自身が有する再送可否判断
フラグを確認し、再送可否判断フラグがセットされていない場合、ダミーパケット生成部
1605及びACK生成部1606に通知し、再送可否判断フラグがセットされている場合は、ダミ
ーパケット生成部1605にのみ通知を行う(図17のS603)。
【０１１４】
再送可否判断部1604からの通知を受けたACK生成部1606は、輻輳制御及び再送制御の判
断に必要となるDuplicated ACKの個数、一般的なTCPであれば、3個以上のDuplicated ACK
パケットを生成し、ネットワークインターフェース1601を通じて、送信側端末110に通知
し、また、再送可否判断フラグのセットを行う(図17のS604)。
【０１１５】
再送可否判断部1605からの通知を受けたダミーパケット生成部1605は、本来受信すべき
シーケンス番号を有するダミーパケットを生成し、ネットワークインターフェース1601を
通じて、通信プロトコルスタック1602に送信する。以降、S601からS605を繰り返す。
【０１１６】
再送可否判断フラグには再送可否判断部1604により、有効期間が設定される。有効期間
については、TCP/IPコネクションの形成時や事前に測定されるRTT(Round Trip Time：送
信側端末から受信側端末へのパケット送信に要する時間)等のパラメータから算出される
数値、例えば、測定されたRTTの3倍の時間等、を採用することなどができる。また、再送
可否判断フラグは、再送可否判断部1604がダミーパケット生成部1605及びACK生成部1606
に通知をする際に設定され、有効期間が経過すると、再送可否判断フラグはリセット（セ
ットされていない状態に）されるとする。
【０１１７】
次に本発明の実施の形態の動作を図18のシーケンス図に示される、通信プロトコルをTC
P/IPとした場合の一例を基にして具体的に説明する。輻輳制御及び再送制御は、同一シー
ケンス番号のDuplicated ACKを3つ受け取ったときに発生すると設定されているとする。
【０１１８】
ネットワークインターフェース1601は、図1に示す送信側端末110から送信されたシーケ
ンス番号1のパケットを受信する(1801)。ネットワークインターフェース1601が受信した
データは通信プロトコルスタック1602に渡され(1802)、パケット監視部1603は、1801で受
信したパケットをスヌープし、シーケンス番号を確認する(1803)。
【０１１９】
通信プロトコルスタック1602は、1802で受信したデータを図1に示す受信側アプリケー
ション122へ渡す (1804)。 通信プロトコルスタック1602はデータを受信したことを意味
するACKパケット、ここではシーケンス番号1のパケットを受信したことを意味する[ACK 1
]を、ネットワークインターフェース1601を通じて、送信側端末110に通知する(1805,1806
)。
【０１２０】
本シーケンスでは、次に送信側端末110から送信されるシーケンス番号2のパケットが伝
送中に何らかの原因により損失したと仮定する(1807)。送信側端末110は続けてシーケン
ス番号3のパケットを送信する(1808)。通信プロトコルスタック1602はネットワークイン
ターフェース1601からシーケンス番号3のデータを受信するが、シーケンス番号2のデータ
を受信できていないため、その旨を通知するパケット、つまり、Duplicated ACKと呼ばれ
るシーケンス番号1のデータまでしか受け取っていないことを示す[Dup ACK 1]を送信側端
末110に送信する(1809,1811,1812)。
【０１２１】
パケット監視部1603は、ネットワークインターフェース1601を監視し、シーケンス番号
2のパケットが損失していることを検出する(1810)。パケット監視部1603は、再送可否判
断部1604に通知を行う(1813)。再送可否判断部1604は、本シーケンスでは当初、再送可否
判断フラグがセットされていないことを想定するとし、再送可否判断フラグがセットされ
ていないことから、ACK生成部1606及びダミーパケット生成部1605に通知を行う(1814,181
5)。
【０１２２】
ACK生成部1606は、複数個、本シーケンスでは一般的なTCPの実装で採用されている3個
以上のDuplicated ACKを生成し、送信側端末110に送信する(1816,1817,1818,1819,1820,1
821)。また、ダミーパケット生成部1605は、未到着のシーケンス番号2のパケットに代わ
るダミーパケットを生成し、ネットワークインターフェース1601を通じて、通信プロトコ
ルスタック1602に通知する(1822,1823)。通信プロトコルスタック1602は、シーケンス番
号2のデータを受信したことから、シーケンス番号2及び3のデータを受信側アプリケーシ
ョン122に送信し(1824,1825)、シーケンス番号3までのデータを受信したことを通知する
ため、[Dup ACK 3]のパケットを生成し、送信側端末110に通知する(1826,1827)。送信側
端末110は、Duplicated ACKを3個以上連続で受信したため、輻輳制御及び再送制御を実行
し、データ送信を継続する(1828,1829,1830,1831,1832)
。
【０１２３】
ここで、送信側端末が送信したシーケンス番号4のパケットが損失したとする(1833)。
送信側端末110はシーケンス番号5のパケットを送信する(1834)。パケット監視部1603はシ
ーケンス番号4のパケットが損失していることを検出し(1836)、再送可否判断部1604に通
知する(1837)。再送可否判断部1604は再送可否判断フラグを確認し、再送可否判断フラグ
がセットされていることから、ダミーパケット生成部1605にのみダミーパケットの生成を
要求する(1838)。ダミーパケット生成部1605は、未到着のシーケンス番号4のパケットに
代わるダミーパケットを生成し、ネットワークインターフェース1601を通じて、通信プロ
トコルスタック1602に通知する(1839,1840)。通信プロトコルスタック1602は、シーケン
ス番号4及び5のデータを受信し(1841,1842)、シーケンス番号5までのデータを受信したこ
とを通知するため、[ACK 5]のパケットを生成し、送信側端末110に通知する(1843,1844)
。
【０１２４】
本実施の形態によるさらなる効果について説明する。パケットロスが断続的に発生する
場合、パケットの欠落の度にDuplicated ACKを生成すると、輻輳制御が連続して発生する
ため、TCPとしてのパフォーマンスが大きく劣化してしまうが、本実施の形態のように、
本来、Duplicated ACKが複数回送信されるのに要する時間、つまり、一般的なTCPではRTT
の3倍の時間において、断続的に発生するパケットロスに関しては、Duplicated ACKの送
信を抑制することで、輻輳制御の実施回数を低く抑え、TCPの大きなパフォーマンスの劣
化を防止することが可能となる。
【０１２５】
（第７の実施の形態）
次に本発明の第7の実施の形態について、図面を参照して説明する。
【０１２６】
図19は、本発明に係る通信装置の第7の実施の形態の構成図である。本発明に関わる送
信側通信装置1900は、ネットワークインターフェース1901、通信プロトコルスタック1902
、パケット監視部1903、ACK生成部1904を含む。第１の実施の形態から第６の実施の形態
とは異なり、これらの手段はデータを送信する側の送信側通信装置として機能する。その
動作は以下に示すようになる。
【０１２７】
ネットワークインターフェース1901は、図1に示すネットワーク130と接続し、パケット
の送受信を行う。通信プロトコルスタック1902は、図１に示す送信側アプリケーション11
2から、ネットワークインタフェース1901を通じて行われる、図1に示す受信側端末120へ
のパケットの送信を管理する。パケット監視部1903は、ネットワークインターフェース19
01を経由して送受信されるパケットを監視し、Duplicated ACKの受信を検出する。Duplic
ated ACKの受信を検出すると、パケット監視部1903は、ACK生成部1904にDuplicated ACK
の生成を要求する。ACK生成部1904は輻輳制御が発生するために必要な個数のDuplicated 
ACKを生成し、ネットワークインターフェース1901を通じて、通信プロトコルスタック190
2に送信する。
【０１２８】
次に、本実施の形態の全体の動作について図20のフローチャートを参照して詳細に説明
する。
【０１２９】
パケット監視部1903は、ネットワークインターフェース1901を経由して送受信されるパ
ケットのシーケンス番号を監視する(S701)。パケット監視部1903は、Duplicated ACKの受
信を検出すると、ACK生成部1904に通知を行う(S702)。ACK生成部1904は、複数個、例えば
、一般的なTCP/IPでは、3個以上のDuplicated ACKを受信することで、輻輳制御及び再送
制御が実施されるため、既に受信したDuplicated ACKを差し引いた2個以上、のDuplicate
d ACKを生成し、ネットワークインターフェース1901を通じて、通信プロトコルスタック1
902に送信する(S703)。以降、S701からS703を繰り返す。S702において、Duplicated ACK
が検出されなかった場合、パケット監視部1903は、次のパケットの到着に備える。
【０１３０】
次に本発明の実施の形態の動作を図21のシーケンス図に示される、通信プロトコルをTC
P/IPとした場合の一例を基にして具体的に説明する。輻輳制御及び再送制御は、同一シー
ケンス番号のDuplicated ACKを3個以上、受け取ったときに発生すると設定されていると
する。
【０１３１】
送信側の通信プロトコルスタック1902はネットワークインターフェース1901を通じて、
受信側端末120へシーケンス番号1のデータを送信する(2101，2102)。受信側端末はパケッ
トを受信したことを表す確認通知[ACK 1]を送信する(2103)。通信プロトコルスタック190
2はネットワークインターフェース1901を通じて、受信側端末120の確認通知を受信する(2
104)。パケット監視部1903は、ネットワークインターフェース1901を通じて、受信パケッ
トの監視を行い、シーケンス番号1を受信した旨を示す確認応答[ACK 1]の受信を確認する
(2105)。
【０１３２】
通信プロトコルスタック1902が送信したシーケンス番号2のパケットがネットワーク伝
送中に損失したとする(2106, 2107)。通信プロトコルスタック1902はシーケンス番号3の
パケットを続いて送信する(2108, 2109)。受信側端末120はシーケンス番号2のパケットを
受信できていないため、確認通知としてシーケンス番号1のDuplicated ACK（[Dup ACK 1]
）を送信する(2110)。通信プロトコルスタック1902は、ネットワークインターフェース19
01を通じて、確認通知[Dup ACK 1]を受信する(2111)。パケット監視部1903は、ネットワ
ークインターフェース1901を通じて、確認通知 [Dup ACK 1]の受信を確認し、2105で受信
した確認通知と同一であることから、パケットの損失を疑い、ACK生成部1904に通知を行
い(2112, 2113)、シーケンス番号1のACKの生成を指示する。
【０１３３】
通知を受け取ったACK生成部1904は、Duplicated ACKを複数個、本シーケンスでは、2個
以上(一般的なTCP/IPでは、3個以上のDuplicated ACKを受信することで、輻輳制御及び再
送制御が実施されるため、既に受信したDuplicated ACKを差し引いた2個以上)のシーケン
ス番号1までしか受け取っていない旨を示すDuplicated ACK [ACK 1]を生成し、ネットワ
ークインターフェース1901を通じて、通信プロトコルスタック1902に送信する(2114,2115
,2116,2117)。
【０１３４】
通信プロトコルスタック1902は、シーケンス番号１のDuplicated ACKを3個以上受信し
たため、輻輳制御を行い、また、同時にシーケンス番号2のパケットを再送する。受信側
端末120はシーケンス番号3までのデータを受信したことを表す確認通知 [ACK 3]を送信す
る(2120,2121)。
【０１３５】
本実施の形態による効果について説明する。送信側において、Duplicated ACKの受信が
検出された際に、輻輳制御及び再送制御の実施に必要な複数個のDuplicated ACKを生成し
、輻輳制御及び再送制御を行うことで、従来よりも早期にロスパケットの再送が行われる
ため、映像や音声等を再現するアプリケーションの場合を例とすると、映像や音声を途切
れることなく再生することが可能となる。
【０１３６】
さらに、本実施の形態では、Duplicated ACKの送信を促進する方向であることから、通
信プロトコルの輻輳制御を抑制しない。そのため、リアルタイム性を要求するアプリケー
ションにおいて再送制御と輻輳制御を伴う通信プロトコルでデータを送受信した場合に、
輻輳制御を損なうことなく、再送制御に伴うデータを再現するまでの遅延を削減できる。
【０１３７】
また、本実施の形態では、パケット監視部が、通信プロトコルスタックを介さずに直接
ネットワークインターフェースを監視しており、かつ新たに生成されるDuplicated ACKも
直接ネットワークインターフェースに送信されている。つまり通信プロトコルに修正を加
える必要がない。通信プロトコルは、コンピュータのオペレーションシステムの一部（カ
ーネル）として実装されていることも多く、修正を施すことが困難なケースも多いが、本
実施の形態の構成を取れば、通信プロトコルに手を入れる必要がない。
【０１３８】
（第８の実施の形態）
次に本発明の第8の発明を実施するための最良の形態について、図面を参照して説明する
。
【０１３９】
図22は、本発明に係る通信装置の第8の実施の形態の構成図である。本発明に関わる通
信装2200は、ネットワークインターフェース2201、通信プロトコルスタック2202、パケッ
ト監視部2203、再送可否判断部2204、ACK生成部2205を含む。第7の実施の形態と同様に、
これらの手段はデータを送信する側の通信装置として機能し、次のように動作する。
【０１４０】
ネットワークインターフェース2201は、ネットワーク130と接続し、パケットの送受信
を行う。通信プロトコルスタック2202は、図１に示す送信側アプリケーション112から、
ネットワークインタフェース1901を通じて行われる、図1に示す受信側端末120へのパケッ
トの送信を管理する。パケット監視部2203は、ネットワークインターフェース2201を経由
して送受信されるパケットを監視し、Duplicated ACKの送信を検出した場合、再送可否判
断部2204に通知する。
【０１４１】
再送可否判断部2204は、一定期間有効な再送可否判断フラグを有しており、再送可否判
断フラグがセットされているかを確認する。再送可否判断フラグがセットされていない場
合、ACK生成部2205にDuplicated ACKの生成要求を通知する。再送可否判断フラグがセッ
トされていない場合、再送可否判断部2204はそのパケットに関し、特別な処理は行わず、
次のパケットの到着に備える。 ACK生成部2205は輻輳制御が発生するために必要な個数の
Duplicated ACKを生成し、ネットワークインターフェース2201を通じて、通知プロトコル
スタック2202に送信する。
【０１４２】
再送可否判断フラグの有効期間については、TCP/IPコネクションの形成時や事前に測定
されるRTT等のパラメータから算出される数値、例えば、測定されたRTTの3倍の時間等、
を採用し、また、再送可否判断フラグは、再送可否判断部2204がパケット監視部2203から
の通知を受信した際、再送可否判断フラグがセットされていない場合に設定され、有効期
間が経過すると、生成時と同様、再送可否判断部2204により再送可否判断フラグはリセッ
ト（セットされていない状態に）されるとする。
【０１４３】
次に、本実施の形態の全体の動作について図22及び図23を参照し、詳細に説明する。
【０１４４】
パケット監視部2203は、ネットワークインターフェース2201を経由して送受信されるパ
ケットのシーケンス番号を監視する(S801)。パケット監視部2203は、受信しているパケッ
トがDuplicated ACKであるか判断し(S802)、Duplicated ACKである場合、再送可否判断部
2204へ通知し(S803)、Duplicated ACKでなければ、次のパケットの到着に備える(S804)。
再送可否判断部2204は、再送可否判断フラグがセットされているかを確認し、再送可否判
断フラグがセットされていない場合、ACK生成部2205に通知を行い、再送可否判断フラグ
がセットされている場合は、次のパケットの到着に備える(S805)。 ACK生成部2205は、複
数個、例えば、一般的なTCP/IPでは、3個以上のDuplicated ACKを受信することで、輻輳
制御及び再送制御が実施されるため、既に受信したDuplicated ACKを差し引いた2個以上
、のDuplicated ACKを生成し、ネットワークインターフェース2201を通じて、通信プロト
コルスタック2202に送信する(S806)。以降、S801からS806を繰り返す。
【０１４５】
次に図24のシーケンス図に基づき、本実施の形態の動作を説明する。送信側の通信プロ
トコルスタック2202はネットワークインターフェース2201を通じて、受信側端末へシーケ
ンス番号1のデータを送信する(2401、2402)。受信側端末120はパケットを受信したことを
表す確認通知[ACK 1]を送信する(2403)。通信プロトコルスタック2202はネットワークイ
ンターフェース2201を通じて、受信側端末120の確認通知を受信する(2404)。
【０１４６】
パケット監視部2203は、ネットワークインターフェース2201を通じて、受信パケットの
監視を行い、確認通知[ACK 1]の受信を確認する(2405)。通信プロトコルスタック2202が
送信したシーケンス番号2のパケットがネットワーク伝送中に損失したとする(2406, 2407
)。通信プロトコルスタック2202はシーケンス番号3のパケットを続いて送信する(2408, 2
409)。受信側端末120はシーケンス番号2のパケットを受信できていないため、その旨を示
す確認通知として[Dup ACK 1]を送信する(2410)。
【０１４７】
通信プロトコルスタック2202は、ネットワークインターフェース2201を通じて、確認通
知[Dup ACK 1]を受信する(2411)。パケット監視部2203は、ネットワークインターフェー
ス2201を通じて、確認通知[ACK 1]の受信を確認し、先に受信した確認通知(2405)と同一
であることから、パケットの損失を疑い、再送可否判断部2204に通知する(2413)。
【０１４８】
再送可否判断部2204は、再送可否判断フラグがセットされているかどうかを確認する。
本シーケンスでは、再送可否判断フラグはセットされていないとし、このとき、再送可否
判断部2204はACK生成部2205に通知を行い、再送可否判断フラグをセットする(2414)。
【０１４９】
通知を受け取ったACK生成部2205は、Duplicated ACKを複数個、本シーケンスでは、2個
以上(一般的なTCP/IPでは、3個以上のDuplicated ACKを受信することで、輻輳制御及び再
送制御が実施されるため、既に受信したDuplicated ACKを差し引いた2個以上)のシーケン
ス番号1までしか受け取っていない旨を示すDuplicated ACK [ACK 1]を生成し、ネットワ
ークインターフェース2201を通じて、通信プロトコルスタック2202に送信する(2415,2416
,2417,2418)。通信プロトコルスタック2202は、Duplicated ACKを3個以上受信したため、
輻輳制御を行い、また、同時にシーケンス番号2のパケットを再送する(2419.2420)。
【０１５０】
受信側端末120はシーケンス番号2及び3のデータを受信したことを表す確認通知[ACK 3]
を通知する(2421,2422,2423)。次に通信プロトコルスタック2202が送信したシーケンス番
号4のパケットがネットワーク伝送中に損失したとする(2424,2425)。
【０１５１】
通信プロトコルスタック2202は引き続き、シーケンス番号5のパケットを送信する(2426
,2427)。受信側端末120はシーケンス番号4のパケットを受信していないため、確認通知[A
CK 3]を送信する(2428)。通信プロトコルスタック2202はネットワークインターフェース2
201を通じて、確認通知[ACK 3]を受信する(2429)。パケット監視部2203はネットワークイ
ンターフェース2201を通じて監視している受信パケットから(2430)、確認通知[ACK 3]が
重複していることを確認し、再送可否判断部2204に通知する(2431)。
【０１５２】
再送可否判断部2204は、再送可否判断フラグがセットされているため、ACK生成部2205
に対しては指示を発行しない。再送可否判断フラグがセットされている期間においては、
パケット監視部2203及び再送可否判断部2204を含め、通信装置2200は同様の処理を繰り返
す(2432から2446)。
【０１５３】
本実施の形態による効果としては、第７の実施の形態による効果に加え、断続的にパケ
ットロスが発生した場合、パケットロスの発生の度に複数個のDuplicated ACKを生成する
と、輻輳制御が連続して実行されるため、TCPとしてのパフォーマンスが大きく劣化して
しまうが、本実施の形態のように、一定時間内に断続的に発生するパケットロスに関して
、Duplicated ACKの送信を抑制することで、輻輳制御の実施回数を低く抑え、TCPの大き
なパフォーマンスの劣化を防止することが可能となる。
【実施例１】
【０１５４】
次に具体的な実施例を用いて、本発明を実施するための最良の形態の動作を説明する。
まず、第1の実施の形態である通信装置を利用した実施例について説明する。図25は、第1
の実施の形態の通信装置を含むVoD(Video On Demand)クライアント2550とVoDサービスを
提供するVoDサーバ2540より構成されるリアルタイムに映像・音声データが配信されるVoD
システムの一例である。
【０１５５】
図26は、図25記載のVoDクライアント2550とVoDサーバ2540のパケットのシーケンスを示
したもので、VoDクライアント2550においては、通信装置2551により受信されるビデオ再
生アプリケーション2552における再生データの受信順序が示されている。
【０１５６】
実施例図25記載のVoDシステムでは、VoDサーバ2540、本発明に係る通信装置2551及びビ
デオ再生アプリケーション2552を含むVoDクライアント2550、VoDクライアント2550とVoD
サーバ2540を結ぶネットワーク上に存在するファイアウォール2560から構成される。
【０１５７】
VoDクライアント2550は、ファイアウォール2560を越えてVoDサーバ2540から映像・音声
を受け取るため、HTTP(Hyper Text Transfer Protocol)を利用し、受け取ったパケットに
よりビデオを再生するとする。
【０１５８】
実施例図26を参照すると、VoDクライアント2550が映像・音声をVoDサーバ2540にデータ
要求を行うと、VoDサーバ2540は、シーケンス番号1のデータを送信する(2601)。
【０１５９】
通信装置2551はシーケンス番号1のデータを受信すると、ACKを返す(2602)と同時に、シ
ーケンス番号1のデータをビデオ再生アプリケーション2552に渡す(2603)。次にネットワ
ークの輻輳により、VoDサーバ2540が送信したシーケンス番号2のデータが損失したとする
(2604)。このとき、VoDクライアント2550はデータを受け取らないため、何も応答しない
。VoDサーバ2540は続いて、シーケンス番号3のデータを送信する(2605)。通信装置2551は
、シーケンス番号3のデータを受け取り、Duplicated ACKとして[Dup ACK 1] を返す(2606
)と同時に、スヌープされたデータをビデオ再生アプリケーション2552に渡す(2607)。受
信したシーケンス番号3のデータは再生データとして利用される。
【０１６０】
シーケンス番号4及びシーケンス番号5についても同様の処理が発生する(2608〜2613)。
この後、VoDサーバ2540は、Duplicated ACKを3回受信するため、シーケンス番号2のパケ
ットを再送する(2614)。通信装置2551は再送されたパケットを受信すると、その時点で受
信している最大のシーケンス番号である5をACKとして返す(2615)と同時に、プロトコルス
タックに蓄積されていた受信データを廃棄する。 続いて、VoDサーバ2540はその次のシー
ケンス番号6のデータを送信し(2616)、VoDサービスを継続する。なお、通信装置2551内の
動作は第１の実施の形態と同じであることから記載は省略した。また、第2〜第6の実施の
形態に関しても、VoDクライアント500は、本実施例と同様の動作を行うため、記載を省略
する。
【実施例２】
【０１６１】
次に、第１の実施の形態に示される通信装置と第７の実施の形態の通信装置を用いた実
施例について説明する。図27は、パケットの受信時の機能として第1の実施の形態の通信
装置の機能を持ち、パケットの送信時の機能として第7の実施の形態の通信装置の機能を
併せ持つ中継装置2730と、HTTPによるビデオチャットを行うビデオチャットクライアント
2710と2720から構成される。中継装置2730はビデオチャットクライアント2710及び2720の
HTTPによる通信を仲介するProxyとして働くこととし、中継装置2730は、ビデオチャット
クライアント2710及び2720から送信されるデータを受信し、他のビデオチャットクライア
ントにそのデータを転送する機能を有するとする。
【０１６２】
図28は、ビデオチャットクライアント2710を送信側と2720を受信側として、中継装置27
30を有する中継装置2730を介してデータパケットをやりとりする場合のシーケンスを示し
たものになっている。なお、実際のビデオチャットのアプリケーションにおいては、ビデ
オチャットクライアント2710と2720の送信側、受信側の役割は随意入れ替わり、相互にデ
ータを送受している。
【０１６３】
中継装置2730は、送信側のビデオチャットクライアント2710から送信されたデータを一
端終端し、受信側のビデオチャットクライアント2720に送信する。このことを明示するた
め、送信側から送信され中継装置2730で終端されるシーケンス番号ｍのパケットを＃ｍで
表記し、中継装置2730から送信されるシーケンス番号ｎのパケットを$nで表記する。
【０１６４】
まず、図28の上半分を参照して、中継装置2730が第７の実施の形態で示した機能を用い
て行うパケットの中継（転送）動作を説明する。ビデオチャットクライアント2710が中継
装置2730を通じて、ビデオチャットクライアント2720にデータを送っている。中継装置27
30は、ビデオチャットクライアント2710から送信されたシーケンス番号#1のパケットを受
信するが(2801)、TCPの接続はここで終端され、中継装置2730はビデオチャットクライア
ント2710に対し、確認応答である[ACK #1]を送信する(2802)。同時に中継装置2730は、ビ
デオチャットクライアント2720に向け、2801で受信したシーケンス番号$1のパケットを送
信する(2803)。ビデオチャットクライアント2720からは、パケットを受信したことを意味
する確認応答[ACK $1]が送信される(2804)。続いて、ビデオチャットクライアント2710か
ら送信されたシーケンス番号#2のパケットを中継装置2730は受信し(2805)、確認応答[ACK
#2]を送信する(2806)。そしてこのシーケンス番号$2のパケットをビデオチャットクライ
アント2720に転送する際にパケットが損失したとする(2807)。
【０１６５】
さらに中継装置2730は、ビデオチャットクライアント2710からはシーケンス番号3のデ
ータが続いて送信される(2808,2809)。中継装置2730は受信したパケットをビデオチャッ
トクライアント2720に転送し(2810)、ビデオチャットクライアント2720から確認応答とし
て、[Dup ACK $1]を受信したとする(2811)。このとき、中継装置2730は2804で受信した確
認応答[ACK $1]と重複していることから、パケットロスが発生したと判断し、実施の形態
7で述べた動作、つまり、内部で再送制御及び輻輳制御が発生するだけのDuplicated ACK
の生成、受信を行(2812,2813)を行い、シーケンス番号$2のデータを再送する(2814, 2815
)。
【０１６６】
このとき、再送制御と同時に輻輳制御も実施される。続いて、通信装置2731は、シーケ
ンス番号#4のデータをビデオチャットクライアント2710から受信し(2816)、そのデータを
ビデオチャットクライアント2720に転送する(2818)ことで、ビデオチャットサービスを継
続する。
【０１６７】
次に、図28の下半分を参照して、中継装置2730が第１の実施の形態で示した機能を用い
て行うパケットの中継（転送）動作を説明する。ビデオチャットクライアント2710は通信
装置2731に対し、シーケンス番号#5のデータを送信する(2820)。中継装置2730は、シーケ
ンス番号#5のデータを受信したため、確認応答[ACK #5]をビデオチャットクライアント27
10に送信する(2821)。中継装置2730は、2820で受信したパケットをビデオチャットクライ
アント2720に、シーケンス番号$1のパケットとして送信し(2822)、ビデオチャットクライ
アント2720はパケットの受信を示す確認応答[ACK $5]を送信する(2823)。
【０１６８】
次にビデオチャットクライアント2710が送信したシーケンス番号#6のデータがネットワ
ークの障害等により損失したとする(2824)。ビデオチャットクライアント2720は、続いて
シーケンス番号#7のデータを送信する(2825)。中継装置2730は、シーケンス番号#6のデー
タを受信していないため、ビデオチャットクライアント2710に対し、確認応答[Dup ACK #
5]を送信する(2826)と同時に、実施の形態1で述べた方法により、スヌープされたシーケ
ンス番号#3のデータを受け取り、そのデータをシーケンス番号$6として、ビデオチャット
クライアント2720に送信する(2827)。
【０１６９】
ビデオチャットクライアント2720からは確認応答である[ACK $6]が送信される(2828)。
その後、ビデオチャットクライアント2710はシーケンス番号#8、#9のデータを送信し(282
9,2833)、中継装置2730からは[Dup ACK #5]を受信する(2830, 2834)。中継装置2730は、
実施の形態1で述べた方法によりスヌープしたデータをシーケンス番号$7及び$8のデータ
としてビデオチャットクライアント2720に送信する(2831, 2835)。ビデオチャットクライ
アント2710は、確認応答[Dup ACK #5]を3回受け取った(2826, 2830,2834)ことから、輻輳
制御及び再送制御を実施する(2837,2838)。
【０１７０】
本実施例では、データの送信側もしくは受信側に本発明の実施形態が含まれない場合で
も、データを中継する装置に本発明の実施形態を導入することで、再送制御に伴うデータ
受信までの遅延を削減し、かつ、輻輳制御を実施することが可能となる。
【産業上の利用可能性】
【０１７１】
本発明によれば、ファイアウォールやプロキシのため、HTTPしか利用できない環境下に
おいても、会議サービスのようなリアルタイムで映像・音声の通信を行うサービスに適用
可能である。
【図面の簡単な説明】
【０１７２】
【図１】第１から第８の実施の形態における端末の接続構成図である。
【図２】第１の実施の形態の構成図である。
【図３】第１の実施の形態のフローチャートである。
【図４】第１の実施の形態のシーケンス図である。
【図５】第２の実施の形態の構成図である。
【図６】第２の実施の形態のフローチャートである。
【図７】第２の実施の形態のシーケンス図である。
【図８】第３の実施の形態の構成図である。
【図９】第３の実施の形態のフローチャートである。
【図１０】第３の実施の形態のシーケンス図である。
【図１１】第４、第５の実施の形態の構成図である。
【図１２】第４の実施の形態のフローチャートである。
【図１３】第４の実施の形態のシーケンス図である。
【図１４】第５の実施の形態のフローチャートである。
【図１５】第５の実施の形態のシーケンス図である。
【図１６】第６の実施の形態の構成図である。
【図１７】第６の実施の形態のフローチャートである。
【図１８】第６の実施の形態のシーケンス図である。
【図１９】第７の実施の形態の構成図である。
【図２０】第７の実施の形態のフローチャートである。
【図２１】第７の実施の形態のシーケンス図である。
【図２２】第８の実施の形態の構成図である。
【図２３】第８の実施の形態のフローチャートである。
【図２４】第８の実施の形態のシーケンス図である。
【図２５】第１の実施例の全体接続構成図である。
【図２６】第１の実施例のシーケンス図である。
【図２７】第２の実施例の全体接続構成図である。
【図２８】第２の実施例のシーケンス図である。
【図２９】第１から第８の実施の形態における通信プロトコルの実装例を示す構成図である。
【図３０】第１の実施の形態におけるスヌープパケット出力部、第２から第８の実施の形態におけるパケット監視部の実装例を示す構成図である。
【図３１】従来例におけるシーケンス図である。
【符号の説明】
【０１７３】
110：送信側端末
111，1900，2200：送信側通信装置
112：送信側アプリケーション
120：受信側端末
121，500，800，1100，1600：受信側通信装置
122：受信側アプリケーション
130：ネットワーク
201，501，801，1101，1601，1901，2201：ネットワークインターフェース
202：データ受信部
203，502，802，1102，1602，1902，2202：通信プロトコルスタック
204：スヌープパケット出力部
503，803，1103，1603，1903，2203：パケット監視部
504，1104，1605：ダミーパケット生成部
804，1105，1606，1904，2205：ACK生成部
1604，2204：再生可否判断部
【図１】
2008109698.tif 000003
【図２】
2008109698.tif 000004
【図３】
2008109698.tif 000005
【図４】
2008109698.tif 000006
【図５】
2008109698.tif 000007
【図６】
2008109698.tif 000008
【図７】
2008109698.tif 000009
【図８】
2008109698.tif 000010
【図９】
2008109698.tif 000011
【図１０】
2008109698.tif 000012
【図１１】
2008109698.tif 000013
【図１２】
2008109698.tif 000014
【図１３】
2008109698.tif 000015
【図１４】
2008109698.tif 000016
【図１５】
2008109698.tif 000017
【図１６】
2008109698.tif 000018
【図１７】
2008109698.tif 000019
【図１８】
2008109698.tif 000020
【図１９】
2008109698.tif 000021
【図２０】
2008109698.tif 000022
【図２１】
2008109698.tif 000023
【図２２】
2008109698.tif 000024
【図２３】
2008109698.tif 000025
【図２４】
2008109698.tif 000026
【図２５】
2008109698.tif 000027
【図２６】
2008109698.tif 000028
【図２７】
2008109698.tif 000029
【図２８】
2008109698.tif 000030
【図２９】
2008109698.tif 000031
【図３０】
2008109698.tif 000032
【図３１】
2008109698.tif 000033